Podtech/llm-jp-corpus-v4-ja_patent huggingface dataset:
(57)【要約】      （修正有）【課題】基礎の無いタンク及び耐震補強を必要とするタンクの耐震補強に関する工法を提供する。【解決手段】基礎のないタンクを耐震補強する為に、まずタンク側板の外側下部一面にスタッドを打ち、次にタンク回りの地盤に杭を打ち、最後に杭とタンクの周囲に鋼板や型鋼を枠囲いしコンクリートを打ち込みタンクと杭を一体化する工法である。これにより新たに打ったコンクリートがウエイトとなりタンクを安定させる。【選択図】なし【特許請求の範囲】
【請求項１】
タンクの側板に外側からスタッドを溶接し、タンク回りの地盤に杭を打ち、それらの周囲にコンクリートを打ち込み、タンクと杭を一体化させ、耐震補強を行う工法
【発明の詳細な説明】
【技術分野】
【０００１】  本発明は、基礎の無いタンク及び耐震補強を必要とするタンクの耐震補強に関する。
【背景技術】
【０００２】  ２０１１年３月１１日東日本大震災により被災した福島第一原発は大量に発生した汚染水を汚染水タンクに貯蔵している。この汚染水タンクは急造の為に基礎がない。コンクリーート床盤にタンクが基礎ボルトに締結されておらず平置きされている。事故直後はやむ得ない措置であったが、事故後７年近く経過した今では新たな大地震に遭遇すると倒壊し汚染水が大量に太平洋に流出する危険がある。その危険を防ぐためにそのタンクを汚染水を貯蔵したまま耐震補強する必要がある。
【先行技術文献】
【０００３】  特に見当たらない。
【特許文献】
【０００４】  特に見当たらない。
【発明の概要】
【０００５】  基礎のないタンクや耐震補強を必要とするタンクにタンク側板外側にスタッドを溶接し、タンク回りの地盤に杭を打ち、杭とタンク側板周りにコンクリートを打ち込み、タンクと杭を一体化させ、耐震補強を行う。
【発明が解決しようとする課題】
【０００６】  基礎のないタンクを耐震補強する課題【０００７】  耐震補強を必要とするタンクを補強する課題【０００８】  タンク内に貯蔵された内容物を移動させないで補強する課題
【課題を解決するための手段】
【０００９】  タンク側板の外側下部一面にスタッドを打つ。【００１０】  タンク周辺の地盤に杭を打つ【００１１】  タンクの周囲に枠囲いしコンクリートを打ち込みタンクと杭を一体化する。
【発明の効果】
【００１２】  タンクがスタッドを介して周囲のコンクリート、杭により地盤より支持され強固な基礎をもつ構造となる。【００１３】  新たに打ったコンクリートがウエイトとなり、さらにタンクを安定させる
【図面の簡単な説明】
【００１４】
【図１】  図１は基礎のないタンクを耐震補強するイメージ図である。
【実施例】
【００１５】  図１はコンクリート床版８の上に設置されたタンク１のタンク側板２にスタッド３を打ち、鋼板６とＨ型鋼を周囲に配置し、杭４を打ち、タンク１の回りにコンクリート５を打設するイメージ図である。
【産業上の利用可能性】
【００１６】  耐震補強を必要とするタンク、建物、タワー及び構築物
【符号の説明】
【００１７】  １．    タンク
２．    タンク側板
３．    スタッド
４．    杭
５．    コンクリート
６．    鋼板
７．    Ｈ型鋼
８．    コンクリート床版
【図１】
2019124107.tif 000002
(57)【要約】      （修正有）【課題】従来の銀行ネットバンクホームページ（個人用）振込枠は、客側から外すことができ、万が一外れるならば、１日１０００万円までという制限を超えて振込むことが可能になってしまう。振込みが盗難だとすると、全額被害に遭う可能性がある。【解決手段】銀行ネットバンク振込金額枠（個人用）をマスにかえることで、枠を外されない。１０００万円／日の場合は、８マス用意し、１マスに１数字とする。金額制限をする場合は、８マスでなく制限金額に応じてマスを／とすることで制限を可能とする。このことにより、銀行側の信用の回復、盗難対策とする。【選択図】図１
2019114219.tif 000002
【特許請求の範囲】
【請求項１】
銀行ホームページ上  個人用ネットバンク内振込金額記入枠で、マスが８マス
2019114219.tif 000007
【発明の詳細な説明】
【技術分野】
【０００１】本発明は、銀行ネットバンクダイレクト（個人用）振込金額制限枠に関する。
【背景技術】
【０００２】従来のネットバンクダイレクト（個人用）振込制限枠は、１０００万円／日となっている。
銀行がホームページ開設時に振込金額を記入する枠を設定しており、枠を故意に外さなければ、枠内に１０００万円以内の金額を書くようになっている。
【発明の概要】
【発明が解決しようとする課題】
【０００３】従来銀行ホームページ枠は、故意に枠を外そうとすれば、客側でも外すことができる。枠が外れれば、振込金額は、１０００万円を超えて、残高全額振込ということもできる。課題としては、１日振込は１０００万円までとなっているので、この振込（個人用）枠を外せないようにするということである。
【課題を解決するための手段】
【０００４】従来の枠をやめて、１０００万円までなので、マスを８マスつくって、そこに数字を１文字ずつ記入するやり方にかえる。これにより、枠ではないのではずすことはできない。
2019114219.tif 000003
て制限内とすることが可能であり、マスなので枠は外れない。
【発明の効果】
【０００５】銀行の振込金額枠をマスにかえることにより、所定金額をこえることは不可能となる。
2019114219.tif 000004
可能である。これにより、のぞき見の振込どろぼうは、どんなにぬすんでも、１日の金額制限内しかぬすむことはできない。
これにより、被害を最小限に抑えることができるし、銀行側も客側も貯金の安全面にいくらか信用をおくことができる。
【図面の簡単な説明】
【０００６】
【図１】本発明の実施形態を示す振込金額記入用マス。
【発明を実施するための形態】
【０００７】銀行ホームページ上でのネットバンク（個人用）振込金額のマスである。
１マスに１数字を記入する。左が１になったらそれ以外のマスは全て０となる仕組みである。振込金額に制限が設けられていなければ１日１０００万円までであり、▲１▼の８マスを使用する。金額制限を窓口に申出ている場合は、▲２▼から▲４▼のように左から
2019114219.tif 000005
マスを設定された範囲での記入となる。銀行により金額制限は、▲１▼〜▲４▼だけ
2019114219.tif 000006
マスで左のはじは、数字が５になったらそれ以外のマスは全て０にならなければならない仕組みとして、銀行側ホームページにプログラミングされる。
左はじの数字は、金額制限の数字に従う。設定数字を超えられない。
【図１】
2019114219.tif 000008
(57)【要約】【課題】従来の銀行のネットバンクダイレクト（個人用）の振込金額は、各個人の口座残高の範囲で、１０００万円１日以下ということになっていた。だが振込金額枠を外すことができ、１０００万円以上でも振込めるという問題があった。【解決手段】銀行ネットバンクダイレクト（個人用）振込準備金を銀行側として１日１０００万円で区切り、うけ皿をつくり、それに投入し、各個人口座にうけ皿を１つだけ接続できる。口座残高が１０００万以上でも１０００万円のうけ皿しか与えないことで１日１０００万円以上振込をすることはできないとする。【選択図】図１
2019114220.tif 000002
【特許請求の範囲】
【請求項１】
銀行奥パソコン内ネットバンク（個人用）ホームページに接続するうけ皿で、入金額１０００万円のもの。ネットバンク振込金として準備するもの。
【発明の詳細な説明】
【技術分野】
【０００１】本発明は、銀行ネットバンクダイレクトの振込金額（個人用）の銀行側としての提供の方法に関する。
【背景技術】
【０００２】従来の銀行内ネットバンクダイレクト振込金額提供方法としては、個人用なので、各個人がもつ口座残高からその範囲の内で上限１０００万円迄として毎日提供できるということである。上限を超えない様に、各個人１日１０００万円として枠をはめられている。
【発明の概要】
【発明が解決しようとする課題】
【０００３】従来の方法のままだと、銀行ホームページ上の振込金額枠１０００万円（個人用）を外して、金額を無制限にかえるやり方がはやっており、これでは、上限を１日１０００万円とするという事が全く守られていない。もし、スマホ、タブレットなどにより、のぞき見の被害に遭っていたり、何らかの形で他人の口座番号を暗唱番号を入手するようなことがあれば、場合によって全額ぬすまれる可能性もある。このような、従来の銀行ネットバンクホームページでおきていた個人用の振込金額の制限枠を外すと全て振込むことができるというシステム上の被害をなくすことを目的とする。
【課題を解決するための手段】
【０００４】振込金額の個人用上限枠は、外れても、もとにもどすこともできるが、一旦外すことができたものは、もとにもどしても、また外すことだってできる。つまり、客側からだと制限をかけることは難しい。よって、銀行側が資金提供として、はじめから１０００万円ごとに区切り、束にして、１日にそのひと束だけの範囲からだけしか振込金を使用できないようにすれば、上限枠をこえない枠をつくったといえる。
【発明の効果】
【０００５】銀行側が各個人用振込金額準備として、１０００万円しか用意しないことにより、ネットバンクダイレクト（個人用）の振込金額の枠をホームページ上で外したとしても、１０００万円を超えて現金を振込むことはできない。
【図面の簡単な説明】
【０００６】
【図１】本発明の実施形態を示す銀行ネットバンク振込準備金うけ皿平面図
【発明を実施するための形態】
【０００７】以下、本発明の実施形態を図１に基づいて説明する。
【０００８】図１は、個人口座ネットバンクに接続した振込準備金うけ皿である。
口座番号ごとに１つずつ用意する。うけ皿には、日付が記入されていて、日付がかわると、つねに１０００万円に新しく準備される。
うけ皿に入った１０００万円以外は、その日に使用しない分なので、その他金庫内にプールされている。
銀行側は、その他金庫からうけ皿へ１０００万円になるように準備するだけである。各個人は、口座番号とうけ皿の中でのやりとりとなる。
【図１】
2019114220.tif 000003
(57)【要約】【課題】介護施設に従事する介護士の作業記録不備防止のために、ＲＦＩＤを用いて、介護士作業記録を自動的に取得する。【解決手段】  介護施設内および、介護士、入居者はＲＦＩＤを付与されている。管理者の操作するコンピュータによって、介護士、入居者、サービス項目、作業場所、作業開始時間、作業終了時間を含む予定情報を登録する。介護士をＲＦＩＤで特定する。介護士に対し、作業開始前にお知らせをすることにより、作業予定と介護士を特定する。介護士は、作業項目を確認し、入居者をＲＦＩＤで特定する。また、介護士が作業場所をＲＦＩＤで特定する。この後、サービス項目の作業をＲＦＩＤで特定して開始し、作業をＲＦＩＤで特定して終了する。ＲＦＩＤで特定したデータをもとに、実績情報を作成し、予定情報と比較することで、作業実施記録を作成する。【選択図】図１
2019114214.tif 000002
【特許請求の範囲】
【請求項１】
管理者の操作するコンピュータによって入力し保存登録された、介護士、入居者、サービス項目、作業場所、作業開始時間、作業終了時間を含む予定情報があり、上記介護士をＲＦＩＤで特定するステップと、上記介護者に対し、作業開始前にお知らせするステップと、上記介護士が、上記サービス項目と上記入居者をＲＦＩＤで特定するステップと、上記介護士が作業場所をＲＦＩＤで特定するステップと、上記介護士が上記入居者に対しＲＦＩＤで特定した上記サービス項目を開始するステップと、上記介護士が上記入居者に対しＲＦＩＤで特定した上記サービス項目を終了するステップと、上記によって保存されたデータを実績データとして突合するステップと、予定情報を呼び出すステップと、実績データを予定情報と比較し、分析した結果を出力するステップと、を含むことを特徴とするコンピュータにより、介護士作業記録を自動収集する方法。
【発明の詳細な説明】
【技術分野】
【０００１】  本発明は、介護施設における介護士の作業実施に際し、ＲＦＩＤを利用し、作業実施に関する記録を自動転記するものである。
【背景技術】
【０００２】  介護施設の介護士は、入居者のために様々なサービスを行う。主たるサービスは、入居者に対して直接行うサービス項目となる。介護士は介護士作業記録を取得することとなっているが、介護士の作業は煩雑で多忙であるため、記録を取得し転記することが容易ではない。現状は、紙とペンでメモをとることで記録とし、まとめてシステムに手入力（転記）することが多い。そこで、介護士作業記録作成労力軽減のために、各種の技術が開発されている。
【先行技術文献】
【特許文献】
【０００３】
【特許文献１】特開２０１６−１６２０５３号公報
【発明の概要】
【発明が解決しようとする課題】
【０００４】  介護士による作業記録転記の作業労力軽減。【０００５】  その他あらゆる属性の人間によるシステムへの手入力（転記）による誤転記防止。
【課題を解決するための手段】
【０００６】  ＲＦＩＤを利用し、介護士が入居者に対して実施するサービス項目に関する介護作業記録を自動転記する。
【発明の効果】
【０００７】  システムへの手入力（転記）に伴う誤転記の防止。【０００８】  介護士の作業時間削減および、それに伴い、よりよい介護サービスを入居者に対し提供できる。【０００９】  介護士の労働環境改善につながり、雇用促進を図れる。
【図面の簡単な説明】
【００１０】
【図１】全体構成を示す概念図である。
【図２】自動転記するためのフローチャートである。
【図３】動作説明図ある。
【発明を実施するための形態】
【実施例】
【００１１】  図１のように、介護施設内および、介護士、入居者はＲＦＩＤを付与されている。【００１２】（作業開始前）
管理者の操作するコンピュータによって、介護士、入居者、サービス項目、作業場所、作業開始時間、作業終了時間を含む予定情報を登録する。【００１３】  介護士をＲＦＩＤで特定する。【００１４】  介護士に対し、作業開始前にお知らせをすることにより、作業予定と介護士を特定する。【００１５】（作業開始から終了まで）
介護士は、作業項目を確認し、入居者をＲＦＩＤ特定する。また、介護士が作業場所をＲＦＩＤで特定する。この後、サービス項目の作業をＲＦＩＤで特定して開始し、作業をＲＦＩＤで特定して終了する。【００１６】（作業実施記録）
ＲＦＩＤで特定したデータをもとに、実績情報を作成し、予定情報と比較することで、作業実施記録を作成する。【００１７】（データの流れ）
管理者が、作業前に介護士、入居者、サービス項目、作業場所、作業開始時間、作業終了時間を含む予定情報を登録する。【００１８】  図１、図３のように、ＲＦＩＤから取得した情報をコンピュータに取り込む。【００１９】  ＲＦＩＤから回収したデータを実績データとして突合する。【００２０】  予定情報を表示する。【００２１】  実績データから予定情報みて、内容を比較する。【００２２】  上記で、分析した結果を出力する。【００２３】  データ内容を確認し、作業記録を作成する。
【符号の説明】
【００２４】  １    入居者
２    介護士
３    作業場所
４    作業場所
５    作業場所
６    管理者
７    コンピュータ
８    介護士作業記録
【図１】
2019114214.tif 000003
【図２】
2019114214.tif 000004
【図３】
2019114214.tif 000005
(57)【要約】【課題】医療機関での主な業務、薬の処方入力やレセプト作成作業の軽減を目的としたソフトウェアを提供する。【解決手段】医療データの入力枠をできるだけ撤廃、ワープロ感覚で入力されたデータから、薬品、用量、日数を抽出、処方単位ごとに薬品の点数、薬剤数を算出、また、患者のレセプト種別の自動判別し、レセプト作成のためのレセプト元データ作成まで、数百ミリ秒で処理。日々のレセプト元データから毎月の電子レセプト作成までが行える。（図５）【選択図】図５
2019114060.tif 000002
【特許請求の範囲】
【請求項１】
医院などの薬品のデータ入力において、薬品の処方入力は、できるだけ、１
つのまとまり（処方単位）とし、ワープロ感覚で、薬、薬の用量（１錠な
ど）、薬２、薬２の用量、日数と入力、これを処理・認識して、個々のデータ
（薬、用量、日数）を抽出するステップ（抽出ステップ）。ワープロ感覚で入
力するため、マウス操作や実行キー押下回数が極小となる。（図１）
【請求項２】
１つ以上の処方単位が１つの枠に入る。この枠を一定規則で整列させるの
で、どの枠に処方単位を入力しても、入力者の意思通りに、処方単位が「整
列」するステップ。（整列ステップ、図２）
【請求項３】
診療報酬点数表に則り、薬の名前で、支払い基金の医薬品マスターから作成
した医薬品テーブルを検索し、一つの処方単位（飲み方が同じ数種類の薬）毎
に点数（薬価÷１０＝点数を合計）を算出、２０点以下なら何種類でも１剤、
２１点以上なら、その処方単位は、種類数＝剤数となる、例えば、１つの処方
単位が６種類、２１点以上であれば、６剤となる。各処方単位が２０点以下な
ら、６つの処方単位 (一人で２０種類以上の処方薬も可能)まで、処方可能で
ある。７剤以上になると、診療報酬が１割減算されるので、アラート表示す
る。これらを処理するステップ。（６剤点検ステップ、図３）
【請求項４】
６歳以下の子どもは、小児の３歳未満、３歳〜５歳、６歳の就学児・未就学
児も判別（図４）、高齢者は、前期高齢者の２割負担や昭和１９年４月１日生
までの公費投入による１割負担の判別、７５歳の誕生月チェックを、生年月日
から判別するステップ。（レセプト種別判別ステップ、図４）
【請求項５】
データ入力し抽出された薬名、その用量、処方日数などのデータから、プロ
グラム内に、読み込んだ当該医院固有の医薬品テーブルを検索して、逐一、薬
価、医薬品コードを特定し、レセプトデータに仕上げる、１０００人分が、約
１分で処理可能である。（レセプト作成ステップ）
【発明の詳細な説明】
【技術分野】
【０００１】
本発明は、医院における簡便な処方データ入力、そして、レセプトデータまで
一括して処理可能な医療用データ入力、レセプト作成システムに関する。
【背景技術】
【０００２】
病院や医院では、診療の主流な業務として、薬などのデータ入力があり、入
力作業は、逐一、薬品、用量、日数などを、それぞれの入力枠に、入力する必
要があった。昨今は、薬余りが指摘され、患者は、手元の残薬を持参して来院
するため、持参薬ごとの処方日数の設定が要求されるが、多忙な医院では、対
応に窮している場合が散見される。これらにより、入力者（医師など）は、疲
れ果て、患者と対面して会話ができないという事が常態化している。
【０００３】
一方、医療用の処方入力システムは、既に多数開発（たとえば、下記特許文
献１参照）されているが、当システムは、診療に従事している医師が独自に、
日々のデータ入力の煩雑さを軽減し「簡便さ」を追求して作成した。
【０００４】
【特許文献１】特開２００５−１７４１４３（Ｐ２００５−１７４１４３Ａ）
【発明の開示】
【発明が解決しようとする課題】
【０００５】
課題は、簡便な入力作業、入力時間の削減、データ処理の高速化によるＶＤ
Ｔ症候群（パソコンなどのディスプレイを使った長時間の作業のため、視力低
下や肩こり、けんしょう炎を引き起こす）の軽減である。
【発明の効果】
【０００６】
本発明にて簡便な入力作業（ワープロ感覚なので、目を閉じて作業も可
能）、入力時間の削減、ＶＤＴ症候群の軽減が期待される。
【図面の簡単な説明】
【０００７】
【図１】入力枠にデータを入力、処理後に抽出データを再表示する。
【図２】複数の入力枠内のデータが、一定規則で整列する。
【図３】処方単位を集計して、６剤を超えると、アラート表示する。
【図４】生年月日からレセプト種別を判別する。
【図５】入力データ処理、日々の処方データから電子レセプトを作成する。
【図１】
2019114060.tif 000003
【図２】
2019114060.tif 000004
【図３】
2019114060.tif 000005
【図４】
2019114060.tif 000006
【図５】
2019114060.tif 000007
(57)【要約】【課題】バレットタイム撮影は特殊なカメラが必要だった【解決手段】回転する自撮り棒付のお立ち台を作ることにより、手持ちのスマートフォンやカメラでもバレットタイム撮影が簡単に出来るようにする。【選択図】図１
2019066567.tif 000002
【特許請求の範囲】
【請求項１】
回転可能な自撮り棒を取り付けたお立ち台
【発明の詳細な説明】
【技術分野】
【０００１】
映像撮影
【発明の概要】
【発明が解決しようとする課題】
【０００２】
スマートフォンやカメラで簡単にバレットタイム撮影が出来ない
【課題を解決するための手段】
【０００３】
高速で回転できる自撮り棒を作成する
【発明の効果】
【０００４】
誰でも簡単に手持ちのスマートフォンやカメラでバレットタイム撮影が可能となる
【図面の簡単な説明】
【０００５】
【図１】お立ち台は回転せず、ベアリングに接続された自撮り棒が高速回転する
【図１】
2019066567.tif 000003
(57)【要約】【課題】  拡大鏡（フレネルレンズ）を使って書物を読もうとすると、手の揺れなどで書物との距離を安定できず、文字が動いたり大きさが変化したりして読み難いので、距離を一定に保持できるようにしたい。また取り出して直ぐに使えるようにセットする手間を無くしたい。未使用時も平らにでき栞として使える補助ガイド付き拡大鏡を提供する。【解決手段】拡大鏡（フレネルレンズ）にガイドを付けることで、書物と拡大鏡（フレネルレンズ）が簡単に一定の距離で保持できる、未使用時は簡単に平らになることを特徴とする補助ガイド付き拡大鏡。【選択図】図１
2019066808.tif 000002
【特許請求の範囲】
【請求項１】
拡大鏡（フレネルレンズ）の短辺の右側上部にガイドの一端を固定して、他端を拡大鏡（フレネルレンズ）と一緒に右手指で持つことにより、書物との距離を一定に保持するガイドを立てることができることを特徴とする補助ガイド付き読書用拡大鏡。
【請求項２】
不使用時には、ガイドを延ばすことで平面になり保管しやすく、栞としても使えることを特徴とする補助ガイド付き読書用拡大鏡。
【発明の詳細な説明】
【技術分野】
【０００１】  本発明は、書物等で文字を拡大してみるときに、拡大鏡（フレネルレンズ）が書物と一定の距離に保持できるガイドを設けたもの。ガイドは伸ばせて平らになり、収納しやすく栞として使える補助ガイド付き読書用拡大鏡（フレネルレンズ）に関するものである。
【背景技術】
【０００２】  従来、拡大鏡（フレネルレンズ）に補助シートを取り付けて、両端を折り曲げて距離を保つ提案があった（特許文献１参照）
【先行技術文献】
【特許文献】
【０００３】
【特許文献１】公開実用新案公報（Ｕ）  昭６２−１４２５５７  公開  昭和６２年９月８日
【発明の概要】
【発明が解決しようとする課題】
【０００４】  そのため、次のような問題点があった。
（イ）折り曲げる準備作業が必要。
（ロ）折り曲げ角度を保持できなく安定しない。
（ハ）拡大率の微調整が難しい。
本発明は、これらの問題点を解決すためになされたものである。
【課題を解決するための手段】
【０００５】  拡大鏡（フレネルレンズ）の短辺側の右上にガイドの一端を固定してあり、もう一端側を拡大鏡と一緒に親指と人さし指又は中指でガイドを立ち上げて持ち、ガイドを文字面に当て平行に持つことで、書物と拡大鏡（フレネルレンズ）を一定の距離に保持でき揺れ等も抑えられる。
その時に指で保持するガイドを前後に動かすことで拡大率の微調整ができる。また不使用時にはガイドを伸ばして平らにでき、書物の間に挟むことができ、保管しやすくて栞として使える。
以上を特徴とする補助ガイド付き読書用拡大鏡（フレネルレンズ）である。
【発明の効果】
【０００６】  （イ）取り出し１操作で直ぐに使える。
（ロ）ガイドが書物の文字面に当たり、揺れず一定の距離を保持できる。
（ハ）書物の文字の大きさに合わせて、持ったままお好みの拡大に微調整ができる。
（ニ）不使用時は平らにでき保管がしやすい。
【図面の簡単な説明】
【０００７】
【図１】  本発明の使用時の形状図である。
【図２】  本発明の分解斜視図である。
【図３】  本発明の不使用時の形状図である。
【図４】  本発明のガイドの折り曲げ部分の他の例を示す斜視図
【発明を実施するための形態】
【０００８】  以下、本発明の実施の形態について説明する。
（イ）  拡大鏡（フレネルレンズ）（１）を縦長使いにし、短辺の上右側の裏面に透明なプラスティックのガイド（フイルム）（２）の先端を固定する。
（ロ）  ガイド（２）が山形に折れるように３か所に折り曲げ溝（３）を付ける。
本発明は以上のような構成である。
本発明を使用するときは、拡大鏡（フレネルレンズ）（１）をガイド（２）が裏面右側になるようにし、ガイド（２）を山形になるように折り曲げ溝（３）を折り右手指で一緒に持ち、書物の読みたいところに当てる。持っている指でガイド（２）を前後に動かすことで、文字をお好みの大きさに微調整する。
ガイド（２）を平らにして、栞として使用する。
【符号の説明】
【０００９】  １  拡大鏡（フレネルレンズ）
２  ガイド
３  折り曲げ溝
【図１】
2019066808.tif 000003
【図２】
2019066808.tif 000004
【図３】
2019066808.tif 000005
【図４】
2019066808.tif 000006
(57)【要約】【課題】特定波長の光を選択的に遮断する際、従来は樹脂製光学フィルムを対象製品に貼付する事で、当該機能を付与していた。その為、対象製品の物性、形状、及びフィルムが剥離しない使用環境が求められ、窓ガラス、液晶ディスプレイ等が主な用途であり、当該機能の付与対象となる製品、用途は限定されるという課題があった。【解決手段】特定波長の光を選択的に遮断する機能を有する樹脂製光学フィルムを溶液化し、対象製品に塗布・コーティング加工する事でフィルムの貼付が困難であった、軟らかい素材の製品、複雑な形状の製品、使用上形状変化を必要とする製品、微細な機器部品に対しても、当該機能を付与する事が可能となり、対象となる製品、用途の限定化という課題を解決する。【選択図】なし【特許請求の範囲】
【請求項１】
特定波長の光を選択的に遮断する機能を有する樹脂製光学フィルムを溶液化した機能性コーティング剤
【請求項２】
請求項１に記載の機能性コーティング剤を対象製品に塗布、コーティング加工する事により、当該機能を付与する加工方法（ＡＣ方式）
【請求項３】
請求項２に記載の方法により加工され、当該機能を有する製品
【請求項４】
請求項３に記載の製品を使用した機器、及び設備
【発明の詳細な説明】
【技術分野】
【０００１】本発明は「機能性光学フィルムの技術」と「機能性コーティング剤の技術」の応用技術に関する。
【背景技術】
【０００２】機能性光学フィルムの技術（１）
液晶ディスプレイを構成する部材には多くの光学材料が用いられる。
基本的な部材の１つが光学フィルムである。
光学フィルムは「光の振動方向制御」「光の位相差制御」「集光」「光の拡散」等、機能別に多くの種類がある。【０００３】機能性光学フィルムの技術（２）
乗用車の窓ガラスに使用される紫外線だけを遮断する光学フィルム【０００４】機能性光学フィルムの技術（３）
鉄道車両の窓ガラスに使用される赤外線だけを遮断する光学フィルム【０００５】機能性コーティング剤の技術（１）
（防水加工・ウォータープルーフ）
防水機能を有する溶液を対象製品に塗布、コーティング加工する事で当該機能を付与する加工方法【０００６】機能性コーティング剤の技術（２）
（防虫加工・モスプルーフ）
防虫剤成分を有する溶液を対象製品に塗布、コーティング加工する事で、当該機能を付与する加工方法【０００７】機能性コーティング剤の技術（３）
（耐火加工・ファイヤプルーフ）
難燃剤成分を有する溶液を対象製品に塗布、コーティング加工する事で、当該機能を付与する加工方法
【先行技術文献】
【非特許文献】
【０００８】
【非特許文献１】「２０１８年版  ファインケミカル年鑑」ＣＭＣ出版、Ｐ．１３６−１３９、Ｐ．１９０−１９７
【発明の概要】
【発明が解決しようとする課題】
【０００９】特定波長の光を選択的に遮断する際、従来は樹脂製光学フィルムを対象製品に貼付する事で、当該機能を付与していた。
その為、対象製品の物性、形状、及びフィルムが剥離しない使用環境が求められ窓ガラス、液晶ディスプレイ等が主な用途であり、当該機能の付与対象となる製品、用途は限定されるという課題があった。
【課題を解決するための手段】
【００１０】特定波長の光を選択的に遮断する機能を有する樹脂製光学フィルムを溶液化し、対象製品に塗布、コーティング加工する事で、フィルムの貼付が困難であった、軟らかい素材の製品、複雑な形状の製品、使用上形状変化を必要とする製品、微細な機器部品、に対しても当該機能を付与する事が可能となり、対象となる製品、用途の限定化という課題を解決する。
【実施例】
【００１１】赤外線を遮断する光学フィルムを溶液化し、布地に塗布加工を行い、その布地でテントを作ると、外気の熱である赤外線が遮断され、テント内は外より低い温度に保たれる。
又、予め布地に切れ込み等を入れる事でテント内外の温度差から電力等の動力を使わずに風が吹き冷却効果が得られる。
（夏期の木陰に見られるのと同様の現象）【００１２】赤外線を遮断する光学フィルムを溶液化し、布地に塗布加工を行い、その布地で被服や寝具を作ると、暖熱効果の高い防寒製品を提供出来る。【００１３】紫外線を遮断する光学フィルムを溶液化し、布地に塗布加工を行い、その布地で日傘を作ると可視光は透過するが、紫外線は遮断する製品を提供出来る。
(57)【要約】【課題】従来双眼鏡を用いた天体観測は、双眼鏡を手で持った場合双眼鏡の重量に起因する手ぶれで良く見えず、腕も疲れてしまう、又、カメラ用の三脚に取り付けての天体観測は無理な姿勢を強いられ身体に苦しく、条件の良い天頂付近の観測は身体と三脚が干渉して観測出来なかった。 そこでその負担を解消するとともに天頂付近の観測も、十分出来るようにする。【解決手段】三脚に搭載し、頭上に差し渡した天秤棒の一端に、スイベルジョイントとワイヤーで構成されたフォーク型の経緯台をさかさまにぶら下げるように設置。その経緯台に双眼鏡を取り付ける。天秤棒の反対端にはストーンバックを用意、釣り合う錘を積み込む。これによって観測者は、双眼鏡の重量問題と、三脚との干渉から、解放される。【選択図】図１
2019066762.tif 000002
【特許請求の範囲】
【請求項１】
三脚に搭載し、頭上に差し渡した天秤棒の一端に、スイベルジョイントとワイヤーで構成されたフォーク型の経緯台をさかさまにぶら下げるように設置。その経緯台に双眼鏡を取り付ける。天秤棒の反対端にはストーンバックを用意、釣り合う錘を積み込む発明。
【発明の詳細な説明】
【技術分野】
【０００１】
この考案は直視型の双眼鏡を用いて天体観測を行う際に、観測者を双眼鏡の重量とその双眼鏡の重量を支えるため使用されていた三脚との干渉から解放するものです。
【背景技術】
【０００２】
双眼鏡を用いた観測では手持ちで観測するか、カメラ用三脚の雲台に搭載して観測を行っていた。
【先行技術文献】
【非特許文献】
【０００３】
【非特許文献１】双眼鏡を用いた観測では手持ちで観測するか、カメラ用三脚の雲台に搭載して観測を行っていた。
【発明の概要】
【発明が解決しようとする課題】
【０００４】
手持ちでは手ぶれがあってよく見えない、三脚に搭載すると無理な姿勢を強いられてしまう、更には天頂付近に至っては観測者の身体と三脚が干渉して観測不能、という不便が在った。
【課題を解決するための手段】
【０００５】
図 1に示す、7-三脚に搭載して観測者の頭上に差し出した4-天秤棒の一端に、3-ベアリング入りスイベルジョイントと2-ワイヤーで構成されたフォーク型の経緯台をさかさまにぶら下げるように設置。その経緯台に1-双眼鏡を取り付ける。天秤棒の反対端側には6-ストーンバックを用意、釣り合う錘を積み込む。
【図面の簡単な説明】
【０００６】
【図１】天秤棒の反対端のストーンバッグに積み込んだ釣合い錘の効果で僅かな力で双眼鏡の接眼見口を観測者の目の高さに保持でき、フォーク型経緯台の観測方位の移動に伴う観測者のアイポイントの移動はワイヤーの効果で吸収できる。実施の形態及び実施例2｝、3｝、も併せて書き込んだ。
【発明を実施するための形態】
【０００７】
使用に際しては、観測者は、宙吊りの双眼鏡を任意の方向に向け観測することが出来る。 仰角の大きい天体の観測では観測者の首が苦しくなるので、宙吊りの双眼鏡の下に、空間がありますので11-リクライニングシートを12-観測者のアイポイントが双眼鏡の見口下に大体合うように設置、リクライニングシートに座った観測者は2-ワイヤー吊るされた双眼鏡の見口を観測者のアイポイントに引き寄せ観測を行うことが出来る。このため観測者は疲労を回避でき便利である。 この時天秤棒が天頂部で双眼鏡の視界を遮るのですが、双眼なので我慢する事も出来ますし。日周運動で解消されるまで待っても良いのですが、観測者は観測の順番を予め計画したほうが良いでしょう。
【実施例】
【０００８】
このように作成された架台は、天秤棒に釣合い錘で釣合いを取って吊り下げられたフォーク型経緯台に取り付けられた宙吊りの双眼鏡の見口を観測者のアイポイント引き寄せ観測を行う。この為双眼鏡の重量問題と三脚と観測者の体との干渉から解放されて観測することが出来る。 2｝重量問題が解消されたので、既知の長い棒の先に錘を配置した、9-手振れ防止器の設置も可能です。 3｝重量問題が解消されたので、観察者の腋を締めると手振れが軽減することは知られていますので、適切な10-取っ手を設置して手振れを軽減させることも可能です。 4｝重量問題が解消されたので 、既知のフライホイールを持った2軸ジャイロを経緯台の双眼鏡搭載部に設置、ジャイロのジンバルをロックする事で手振れの抑制や、他の人に見つけた天体を見せてあげることも可能です。更にジャイロのジンバルの軸をサーボモーターで駆動すれば天体の自動導入が可能になる。
【符号の説明】
【０００９】
1-双眼鏡 2-ワイヤー 3-ベアリング入りスイベルジョイント（釣りのトローリングなどで使用される物） 4-天秤棒 5-天秤の中心軸 6-ストーンバッグ 7-三脚 8-微調整用錘 9-長い棒の先に錘を配置した、手振れ防止器 10-手振れを軽減させる取っ手 11-観察者 12-リクライニングシート
【図１】
2019066762.tif 000003
(57)【要約】      （修正有）【課題】原水の単位時間当りの処理量が飛躍的に増大すると共に、原水の清澄化も向上させる沈降分離装置の取水方法の提供。【解決手段】クラリファイヤ―の流入口２と流出口４との間の中間部近傍に、水面下にその一部が水没する状態で断面形状が半円形、倒卵形等種々の形状からなり、その素材としては、木、合成樹脂、金属等種々のものが用いられ、その素材によっては重錘や浮体を設けて、水没程度を調整することができるしたガター６を設け、原水の流入口２と流出口４との中間位置近傍部の表層流部より取水する。【選択図】図２
2019089025.tif 000002
【特許請求の範囲】
【請求項１】
原水を水平に流す沈降分離装置において、原水の流入口と流出口との中間位置近傍部の表層流部より取水することを特徴とする、沈降分離装置の取水方法。
【発明の詳細な説明】
【技術分野】
【０００１】
本発明は、沈降分離装置における清澄水の取水方法に関する。
【背景技術】
【０００２】
沈降分離装置は、原水を横流として水平に流し、固形分を重力によって沈降させる分離装置であり、濃厚スラリーを得ることを目的とする濃縮装置（シックナー）と、清澄な液を得ることを目的とする清澄装置（クラリファイヤー）とがある。装置としては、部分的構造は少し異なるが、類似したものが用いられる。
【０００３】
原理的には、装置内に原水を流すと、液は出口方向に水平に流れ、固形分は液の流れに乗って出口方向に流れながら、重力によって下方に沈降することが知られている。
そしてこれらの沈降分離装置は、原水の流入口から一番離れた位置に流出口を設けそこに向けて流すことによって処理していた。従来の知見によれば、原水は、流入口から流出口に向って進行するにつれて清澄化されて行くと考えられていた。しかしながら、本発明者の長年の研究によれば、沈降分離装置の流入口と流出口との中間部近傍が流出口部位より清澄化されているという知見を得ていたのである。
【発明の概要】
【発明が解決しようとする課題】
【０００４】
そこで本発明者は、特に既設の沈降分離装置の処理能力を向上させるために種々研究を重ねた結果、本発明者の知見に基づき本発明を完成するに至った。
【課題を解決するための手段】
【０００５】
すなわち、本発明は、原水を水平に流す沈降分離装置において、原水の流入口と流出口との中間位置近傍部の表層流部より、取水することを特徴とする沈降分離装置の取水方法である。
【発明の効果】
【０００６】
本発明方法によれば、従来の同一の沈降分離装置に比べて原水の単位時間当りの処理量が飛躍的に増大すると共に、原水の清澄化も向上させることができる。
【図面の簡単な説明】
【０００７】
【図１】従来のクラリファイヤーの概略断面図である。
【図２】本発明のクラリファイヤーの平面図である。
【図３−Ａ】ガターの斜視図である。
【図３−Ｂ】他のガターの斜視図である。
【図４】他の態様を示すガターの斜視図である。
【図５】他の態様を示すガターの斜視図である。
【図６】他の態様を示す本発明のクラリファイヤーの平面図である。
【図７】本発明の横流沈澱池の平面図である。
【発明を実施するための形態】
【０００８】
次に本発明を図面を参照しながら説明する。
図１は、従来のクラリファイアーの概略断面図である。
クラリファイヤ―１の流入口２から原水を流入させる。クラリファイヤーに流入した原水はレーキ３によって撹拌され流出口４方向に向って流れる。この間に原水中の汚濁物質はクラリファイヤ―の底部に沈降し、排出口５から排泥される。一方本発明は図２に示すように流入口２と流出口４との間の中間部近傍にガター６を設ける。ガター６は、水面下にその一部が水没する状態で設ける。ガター６の素材としては、木、合成樹脂、金属等種々のものが用いられ、その素材によってガダー６に重錘や浮体を設けて、ガター６の水没程度を調整することができる。
【０００９】
ガター６の形状も図３-Ａおよび図３-Ｂに示すような断面形状が  
2019089025.tif 000003
字形のほか半円形、倒卵形等種々の形状のものが使用できるが、特に倒卵形のものは倒立安定性が良いので好ましい。
またガター６の固定方法としては、例えば図２に示すようにロープ７等によってクラリファイヤ―に固定すればよい。
またガター６の取水口８も図３-Ａに示すように鋸歯状９にしたり、また図３-Ｂに示すように鋸歯状９の取水口を上下にスライド可能とし、両端部の固定具１４によって高さを調製することもできる。さらに他の態様として図４に示すようにコの字に切欠いた形状１０にしたり、図５に示すように穴を刳り貫いた円形状１４等の種々の形状とすることができる。またガター６の取入口８はガター６の片側あるいは両側に設けることができる。
【００１０】
ガター６への取水方法も図２に示すように、取水口８をクラリファイヤ―の水流に対して対向するように設ける。またガター６の取水口８も両側面に設けることによってガター６の前面および後面で取水することができる。さらに他の態様として図６に示すように例えばガター６を放射状に設け、クラリファイヤ―の流入口２と流出口４との中間位置近傍に設けられた取水口８から、クラリファイヤ―の流れに平行に取水口８を設けて、取水することもできる。
図２のようにガター６を円環状に設けた場合は、ガター６と流出口４とを結ぶ取水導入路１１を設け、ガター６で取水した処理水を流出口４に流す。取水導入路１１の流出口４側の端部１２は、流出口４の壁部に取水導入路１１と同じ形状の切欠部を設け、ここに取水導入路１１の端部を接続することによって取水導入路１１の取水を流出口４に流すことができる。
【００１１】
また本発明は、図７に示すような横流沈澱池の場合には、流入口２から原水を導入し、横流沈澱池の略中間部近傍にガター６の取水口８を水流に対向するように設け、ガター６の両端部１３に取水導入管（図示せず）を設け、ここから取水した処理水を系外に排出する。
【００１２】
ガター６による取出部位は、沈降分離装置の原水の流入口２と流出口４との中間位置近傍部の表層流部より取水する。この表層流部は、沈降分離装置の深さによっても異なるが水面から５〜１０ｃｍ程度の深さが好ましい。
ガター６によって取水する量は、好ましくは原水の流入量の９５％〜５％、さらに好ましくは８０％〜１０％の範囲が好ましい。
【符号の説明】
【００１３】
６・・・ガター
８・・・取水口
【図１】
2019089025.tif 000004
【図２】
2019089025.tif 000005
【図３−Ａ】
2019089025.tif 000006
【図３−Ｂ】
2019089025.tif 000007
【図４】
2019089025.tif 000008
【図５】
2019089025.tif 000009
【図６】
2019089025.tif 000010
【図７】
2019089025.tif 000011
(57)【要約】【課題】エンジンの冷却性能を向上させることができる車両の冷却装置を提供すること。【解決手段】車両の冷却装置は、前座席１の下に電池パック２が配置され、かつ後部座席３の下に発電用エンジン４が配置された車両１００において、外気によって電池パック２および発電用エンジン４を冷却するものであり、電池パック２と発電用エンジン４との間に、電池パック２を通過した後の外気の流れを発電用エンジン４の上側と下側とに整流する整流板９を備えている。【選択図】図１
2019089366.tif 000002
【特許請求の範囲】
【請求項１】
前座席の下に電池パックが配置され、かつ後部座席の下に発電用エンジンが配置された車両において、外気によって前記電池パックおよび前記発電用エンジンを冷却する車両の冷却装置であって、
前記電池パックと前記発電用エンジンとの間に、前記電池パックを通過した後の外気の流れを前記発電用エンジンの上側と下側とに整流する整流板を備えることを特徴とする車両の冷却装置。
【発明の詳細な説明】
【技術分野】
【０００１】
本発明は、車両の冷却装置に関する。
【背景技術】
【０００２】
特許文献１には、後部座席後方の車室外に配置された電池パックを外気によって冷却する車両の冷却装置において、電池パックに吸気口および排気口を設けた構成が開示されている。なお、特許文献１で開示された車両の冷却装置では、電池パックにエンジンも搭載されている。
【先行技術文献】
【特許文献】
【０００３】
【特許文献１】特開２０１４−０３４２７４号公報
【発明の概要】
【発明が解決しようとする課題】
【０００４】
しかしながら、特許文献１には、エンジンを冷却するための具体的な構成が開示されておらず、エンジンの冷却性能に改善の余地があった。
【０００５】
本発明は、上記に鑑みてなされたものであって、エンジンの冷却性能を向上させることができる車両の冷却装置を提供することを目的とする。
【課題を解決するための手段】
【０００６】
上述した課題を解決し、目的を達成するために、本発明に係る車両の冷却装置は、前座席の下に電池パックが配置され、かつ後部座席の下に発電用エンジンが配置された車両において、外気によって前記電池パックおよび前記発電用エンジンを冷却する車両の冷却装置であって、前記電池パックと前記発電用エンジンとの間に、前記電池パックを通過した後の外気の流れを前記発電用エンジンの上側と下側とに整流する整流板を備えることを特徴とする。
【０００７】
これにより、本発明に係る車両の冷却装置は、電池パックと発電用エンジンとの間に、電池パックを通過した後の外気の流れを発電用エンジンの上側と下側とに整流する整流板が設けられているため、発電用エンジンを効果的に冷却することができる。
【発明の効果】
【０００８】
本発明に係る車両の冷却装置によれば、発電用エンジンの冷却性能を向上させることができる。
【図面の簡単な説明】
【０００９】
【図１】図１は、本発明の実施形態に係る車両の冷却装置の構成を示す概略図である。
【発明を実施するための形態】
【００１０】
本発明の実施形態に係る車両の冷却装置について、図面を参照しながら説明する。なお、本発明は以下の実施形態に限定されるものではない。また、下記実施形態における構成要素には、当業者が置換可能かつ容易なもの、あるいは実質的に同一のものが含まれる。
【００１１】
図１は、本実施形態に係る車両の冷却装置の構成を示す概略図である。本実施形態に係る冷却装置が適用される車両１００は、具体的にはレンジエクステンダーＥＶ車であり、前座席１の下に電池パック２が配置されている。また、電池パック２の後方かつ後部座席３の下に、発電用エンジン４が配置されている。車両１００では、図１の矢印に示すように、車両前方から外気を取り入れ、この外気によって電池パック２と発電用エンジン４とを順次冷却する。
【００１２】
発電用エンジン４の後端には、排気管５が設けられている。また、発電用エンジン４は、車内音低減および車外騒音低減のために、板状の騒音低減用カバー６，７によって覆われている。騒音低減用カバー６は、発電用エンジン４の上側に配置されている。また、騒音低減用カバー７は、発電用エンジン４の下側に配置されている。
【００１３】
騒音低減用カバー６，７は、吸音特性に優れた材料が用いられており、発電用エンジン４からそれぞれ３０ｍｍ以上離して配置されている。このように、騒音低減用カバー６，７を発電用エンジン４から離して配置することにより、騒音低減用カバー６，７と発電用エンジン４の表面との間に、冷却風（外気）を流すことが可能となる。
【００１４】
また、発電用エンジン４の上側に設けられた騒音低減用カバー６の端部と、発電用エンジン４の下側に設けられた騒音低減用カバー７の端部とは、排気管５に向かってそれぞれ湾曲している。これにより、排気管５に向けて冷却風（外気）を流すことが可能となる。
【００１５】
車両１００の下側には、板状の空力低減用カバー８が設けられている。また、電池パック２と発電用エンジン４との間には、三角形状の整流板９が設けられている。この整流板９は、具体的には電池パック２の後端に取り付けられており、図１の矢印で示すように、電池パック２を通過した後の外気の流れを、発電用エンジン４の上側と下側とに整流する。この整流板９によって整流された外気は、発電用エンジン４の表面と騒音低減用カバー６，７との間を流れ、発電用エンジン４を冷却する。
【００１６】
以上説明した車両１００の冷却装置によれば、電池パック２と発電用エンジン４との間に、電池パック２を通過した後の外気の流れを発電用エンジン４の上側と下側とに整流する整流板９が設けられているため、発電用エンジン４を効果的に冷却することができる。従って、発電用エンジン４の冷却性能を向上させることができる。
【００１７】
以上、本発明に係る車両の冷却装置について、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【符号の説明】
【００１８】
１  前座席
２  電池パック
３  後部座席
４  発電用エンジン
５  排気管
６，７  騒音低減用カバー
８  空力低減用カバー
９  整流板
１００  車両
【図１】
2019089366.tif 000003
(57)【要約】      （修正有）【課題】印鑑ケースと印鑑マットが一体化した、２つの機能をもつ、柔らかく丈夫なシートを使用し、印鑑を巻き留める構造を備えた印鑑ケースを提供する。【解決手段】本体１にある、切り込み３と４に印鑑を通す。本体１の５から本体１の６の方向に印鑑を巻く。本体１にある２と３を折り曲げ切り込み７と切り込み８を互いに差し込む。印鑑使用時には再度広げて印鑑マットとして使用する。【選択図】図１
2019089305.tif 000002
【特許請求の範囲】
【請求項１】
ケースを広げることにより印鑑マットとして使用可能な印鑑ケース
【発明の詳細な説明】
【発明の詳細な説明】
【技術分野】
【０００１】この発明は、ケースを広げることにより印鑑マットとして使用可能な印鑑ケースである。
【発明を実施するための形態】
【０００２】印鑑ケースと印鑑マットが一体化した、２つの機能をもつ。柔らかく丈夫なシートを使用し、印鑑を巻き留める構造。
【技術分野】
【０００３】本体（１）にある、切り込み（３）と（４）に印鑑を通す。【０００４】本体（１）の（５）から本体（１）の（６）の方向に印鑑を巻く。【０００５】本体（１）にある（２）と（３）を折り曲げ切り込み（７）と切り込み（８）を互いに差し込む。【０００６】印鑑使用時には再度広げて印鑑マットとして使用する。
【図面の簡単な説明】
【０００７】
【図１】本発明に関わる印鑑マット兼用ケースの正面図である。
【図２】［技術分野］［０００３］の参考図である。
【図３】［技術分野］［０００４］の参考図である。
【図４】［技術分野］［０００５］の参考図である。
【図１】
2019089305.tif 000003
【図２】
2019089305.tif 000004
【図３】
2019089305.tif 000005
【図４】
2019089305.tif 000006
(57)【要約】      （修正有）【課題】電車の走行時にレール上に異常があった場合でも先行する車両によってそれを感知し本車両の安全を守るシステムを提供する。【解決手段】電車又は高速鉄道車両の前に、同じレール上を同じ速度で走れる無人の小型の先行車両を設ける。乗客の乗った本体の車両との距離は車両の速度などによって数百ｍ〜数ｋｍなど調整する。先行車両にはカメラや様々なセンサーなどが搭載されておりその情報は常に乗客を乗せた本体車両の運転手が確認出来るようにする。【選択図】図１
2019089534.tif 000002
【特許請求の範囲】
【請求項１】
電車または高速鉄道の乗客を乗せた本体車両の前方に、安全確認用の小型の先行車両を走らせて、乗客を乗せた本体車両の安全を確保するシステム。
【選択図】図１
【発明の詳細な説明】
【技術分野】
【０００１】この発明は電車走行の安全などに関するものである
【背景技術】
【０００２】  電車は人が移動するときの交通手段として有効なものである。
【先行技術文献】
【０００３】
【発明の概要】
【発明が解決しようする課題】
【０００４】電車は決められたレールの上を走るものであり、高速鉄道などは時速３００ｋｍを超える速度でレールの上を通過する。
しかし、そのレールの一部が破損していたり、又は、いたずらやテロなどによりレールに細工されたり、障害物を置かれたりした場合でも、数百ｋｍに及ぶレールの安全を確認することはほぼ不可能に近いものである。
現状では数百人又は数千人の人の命を乗せた鉄道車両があまりにも無防備な状態で運行されている。
テロなどの悪意のある者の簡単な細工で、一瞬で数千人の命が奪われてもおかしくない様な危険に常にさらされている。
本発明は以上のような欠点をなくすためになされたものである。
【課題を解決するための手段】
【０００５】電車又は高速鉄道車両の前に、同じレール上を同じ速度で走れる無人の小型の先行車両を設ける。
乗客の乗った本体の車両との距離は車両の速度などによって数百ｍ〜数ｋｍなど調整する。
先行車両にはカメラや様々なセンサーなどが搭載されておりその情報は常に乗客を乗せた本体車両の運転手が確認出来るようにする。あるいは駅構内にある管理室などでも常に確認出来るようにしてもよい。
レールに何か異常があった場合、先行車両のセンサーやカメラに依っていち早く危険を察知出来る他、乗客を乗せた本体車両ではあり得ないほどの急ブレーキも無人であることで可能になるので事故を回避するのが容易になる。
また、事故が回避出来ず、先行車両が何かと衝突、又は脱線などの事故を起こした場合、乗客を乗せた本体車両は安全を確保出来るだけの車間距離を先行車両との間に取っているので、十分に安全な減速で止まることができる。
その場合、事故は避けられないものの、数百人または数千人の人の命は守られた事になる。
そのような、鉄道を利用する乗客の安全を守るためのシステムである。
【発明の効果】
【０００６】本発明は以上のような構成であることから、乗客を乗せた本体車両（１）の前方にカメラやセンサーなどを搭載した小型の先行車両（２）を走らせる事で事故を回避する能力が上がると同時に事故を避けきれなかった場合でも、乗客の安全は従来の単独で走る鉄道車両に比べて大きくなる。
【図面の簡単な説明】
【０００７】
【図１】乗客を乗せた本体車両と先行車両である。
【発明を実施するための形態】
以下、本発明に実施するための形態について説明する。
電車及び高速鉄道車両の前方に、センサーやカメラを搭載した小型の先行車両を走らせる。そこから得た情報は乗客を乗せた本体車両の運転手や、駅構内に設けた管理室などで、常に安全を確認出来るようにする。
【符号の説明】
【０００９】１  乗客を乗せた電車又は高速鉄道の本体車両である。
２  乗客を乗せた本体車両の数百ｍ〜数ｋｍ前を同じ速度で走る先行車両である。
【図１】
2019089534.tif 000003
(57)【要約】      （修正有）【課題】予備タイヤ脱落防止報知装置を提供する。【解決手段】タイヤが脱落した事を電気的に検知して報知する。具体的には、車両に積載されたタイヤに電線を貫通させ、その電線に断線報知器を接続し、タイヤが脱落した時、タイヤの脱落重力により、電線接続具が離脱する事で断線報知器が作動し、脱落を報知する。【選択図】図１
2019089526.tif 000002
【特許請求の範囲】
【請求項１】
予備タイヤ脱落報知装置を具備した車両
【発明の詳細な説明】
【技術分野】安全な車両運行を計る分野
【背景技術】予備タイヤの脱落防止に取り付け金具などの強度を計る機械的方法に依存していた
【発明の概要】
【発明が解決しようとする課題】予備タイヤの脱落を知らずに走行している車両があり重大な事故が発生している。
【課題を解決しょうとする手段】
タイヤが脱落したことを電気的に検知して報知し事故を未然に防止する。
【発明の効果】
従来タイヤの脱落報知装置がないのでタイヤ脱落時に重大な事故が発生していたが本発明を実施する事により未然に事故を防止できる。
【図面の簡単な説明】
【図１】は電気回路図を示し（１）は電源（２）は断線報知機（３）はタイヤ（４）は（３）のタイヤが脱落時に状態（６）による重力により切断される接続具を示す。（５）はタイヤのホイール穴明き部を貫通する電線を示す。今タイヤ（３）が脱落した時タイヤの落下重力により（４）が切断されその為（２）の断線報知器が作動しタイヤが脱落した事を知らせる。
【発明を実施するための形態】
【実施例】車両に積載されたタイヤに電線を貫通させその電線に断線報知器を接続しタイヤが脱落した時、タイヤの脱落重力により電線接続具が離脱する事で断線報知器が作動し脱落を報知する。
【産業上の利用可能性】タイヤの脱落事故は特に高速道路では重大性が大きく、脱落時に運転手に報知出来るのは事故を未然に防ぎ、かつ経済的にも安価に設置できるので産業上大いに有用であり可能性が大である。
【図１】
2019089526.tif 000003